(57)【要約】【課題】電磁妨害を改善すること。【解決手段】画像データによって第一データ信号及び第二データ信号を生成するステップと、基準クロック信号によって第一クロック信号及び第二クロック信号を生成するステップと、第一クロック信号を第一データ信号の中に組み込むことで、第一組み込み式クロックデータを生成するステップと、第一クロックトレーニングを完成することによって、第一クロック信号の周波数によって第一伝送データを受信するステップと、第二クロック信号を第二データ信号の中に組み込むことで、第二組み込み式クロックデータを生成するステップと、第二クロックトレーニングを完成することによって、第二クロック信号の周波数によって第二伝送データを受信するステップと、を備える。【選択図】図１
2014130354.tif 000002
【特許請求の範囲】
【請求項１】
タイムスケジュール制御回路、データ駆動回路及び表示パネルを備える表示装置であって、
前記タイムスケジュール制御回路は、データ処理回路、エンコーダ及び組み込み式クロックコントローラを含み、
前記データ処理回路は、前記エンコーダ及び前記組み込み式クロックコントローラにそれぞれ電気的に接続され、
前記組み込み式クロックコントローラは、前記エンコーダに電気的に接続され、
前記エンコーダは、前記データ駆動回路にさらに電気的に接続され、
前記データ駆動回路は、前記表示パネルに電気的に接続されており、
前記データ処理回路は、外部回路が提供した画像データを処理して、前記エンコーダに第一データ信号及び第二データ信号を出力し、
前記組み込み式クロックコントローラは、基準クロック信号に基づいて周波数が異なっている第一クロック信号及び第二クロック信号を生成し、
前記エンコーダは、前記第一クロック信号を前記第一データ信号の中に組み込み、且つ前記データ駆動回路に第一組み込み式クロックデータを出力し、前記第一組み込み式クロックデータは、第一初期トレーニングデータ及び第一伝送データを含み、前記データ駆動回路は、前記第一初期トレーニングデータに基づいて第一クロックトレーニングを完成した後に、前記第一クロック信号の周波数によって動作し且つ前記第一伝送データを受信し、
前記エンコーダは、前記第二クロック信号を前記第二データ信号の中に組み込み、且つ前記データ駆動回路に第二組み込み式クロックデータを出力し、前記第二組み込み式クロックデータは、第二初期トレーニングデータ及び第二伝送データを含み、前記データ駆動回路は、前記第二初期トレーニングデータに基づいて第二クロックトレーニングを完成した後に、前記第二クロック信号の周波数によって動作し且つ前記第二伝送データを受信することを特徴とする表示装置。
【請求項２】
前記第一データ信号は、第一クロックトレーニングデータ及び第一表示データを含み、
前記組み込み式クロックコントローラは、前記エンコーダに第一クロックトレーニング制御信号をさらに出力し、
前記エンコーダは、前記第一クロックトレーニング制御信号の制御下で、前記第一クロック信号を前記第一クロックトレーニングデータの中に組み込むことによって、前記第一初期トレーニングデータを生成し、前記データ駆動回路が前記第一クロックトレーニングを完成した後に、前記第一クロック信号を前記第一表示データの中に組み込むことによって、前記第一伝送データを生成し、
前記データ駆動回路が前記第一初期トレーニングデータを解読し、且つ前記第一クロック信号を取得して前記第一クロックトレーニングを完成し、これにより、前記データ駆動回路は前記第一クロック信号の周波数によって前記第一伝送データを受信することを特徴とする請求項１に記載の表示装置。
【請求項３】
前記第二データ信号は、第二クロックトレーニングデータ及び第二表示データを含み、
前記組み込み式クロックコントローラは、前記エンコーダに第二クロックトレーニング制御信号をさらに出力し、
前記エンコーダは、前記第二クロックトレーニング制御信号の制御下で、前記第二クロック信号を前記第二クロックトレーニングデータの中に組み込むことによって、前記第二初期トレーニングデータを生成し、前記データ駆動回路が前記第二クロックトレーニングを完成した後に、前記第二クロック信号を前記第二表示データの中に組み込むことによって、前記第二伝送データを生成し、
前記データ駆動回路が前記第二初期トレーニングデータを解読し、且つ前記第二クロック信号を取得して前記第二クロックトレーニングを完成し、これにより、前記データ駆動回路は前記第二クロック信号の周波数によって前記第二伝送データを受信することを特徴とする請求項２に記載の表示装置。
【請求項４】
前記データ駆動回路は、前記第一クロックトレーニングを完成した後に前記組み込み式クロックコントローラに第一フィードバック信号を出力し、
前記組み込み式クロックコントローラは、前記第一フィードバック信号に基づいて、前記エンコーダに前記第一伝送データを出力させるように制御し、
前記データ駆動回路は、前記第二クロックトレーニングを完成した後に前記組み込み式クロックコントローラに第二フィードバック信号を出力し、
前記組み込み式クロックコントローラは、前記第二フィードバック信号に基づいて、前記エンコーダに前記第二伝送データを出力させるように制御することを特徴とする請求項３に記載の表示装置。
【請求項５】
前記表示パネルは、前記データ駆動回路の駆動によって画面を表示し、
前記表示パネルは、各フレーム画面を表示する正常表示時間帯及び隣接する２つのフレーム画面の間の空いている時間帯を含め、
前記第一クロックトレーニングデータ及び前記第二クロックトレーニングデータは、前記空いている時間帯に対応しているデータであり、
前記第一伝送データ及び前記第二伝送データは、前記正常表示時間帯に対応しているデータであることを特徴とする請求項４に記載の表示装置。
【請求項６】
前記第一伝送データは、少なくとも１つのフレーム画面に対応するデータを含め、
前記データ駆動回路は、第一伝送データの中の第一表示データを階調電圧に変換した後、前記表示パネルに印加し、これにより、
前記表示パネルは、該少なくとも１つのフレーム画面を表示することができ、
前記第二伝送データは、少なくとも１つのフレーム画面に対応するデータを含め、
前記データ駆動回路は、第二伝送データの中の第二表示データを階調電圧に変換した後、前記表示パネルに印加し、これにより、
前記表示パネルは、該少なくとも１つのフレーム画面を表示することができることを特徴とする請求項５に記載の表示装置。
【請求項７】
前記データ処理回路は、さらに外部回路からの画像データを処理することによって、前記組み込み式クロックコントローラに前記基準クロック信号を生成して出力することを特徴とする請求項１に記載の表示装置。
【請求項８】
前記データ処理回路は、さらに外部回路からの画像データを処理し且つエンコーダに第三データ信号及び第四データ信号を出力し、
前記組み込み式クロックコントローラは、前記基準クロック信号に基づいて第三クロック信号及び第四クロック信号をさらに生成し、
前記第一クロック信号と前記第二クロック信号と前記第三クロック信号と前記第四クロック信号との周波数は、互いに異なっており、
前記エンコーダは、さらに前記第三クロック信号を前記第三データ信号の中に組み込み、且つ前記データ駆動回路に第三組み込み式クロックデータを出力し、
前記第三組み込み式クロックデータは、第三初期トレーニングデータ及び第三伝送データを含み、
前記データ駆動回路は、前記第三初期トレーニングデータに基づいて第三クロックトレーニングを完成した後に、前記第三クロック信号の周波数によって前記第三伝送データを受信し、
前記エンコーダは、さらに前記第四クロック信号を前記第四データ信号の中に組み込み、且つ前記データ駆動回路に第四組み込み式クロックデータを出力し、
前記第四組み込み式クロックデータは、第四初期トレーニングデータ及び第四伝送データを含み、
前記データ駆動回路は、前記第四初期トレーニングデータに基づいて第四クロックトレーニングを完成した後に、前記第四クロック信号の周波数によって前記第四伝送データを受信することを特徴とする請求項１乃至請求項７の何れか一項に記載の表示装置。
【請求項９】
前記第三クロックトレーニングデータ及び前記第四クロックトレーニングデータは、空いている時間帯に対応するデータをそれぞれ含み、
前記第三伝送データ及び前記第四伝送データは、正常表示時間帯に対応するデータをそれぞれ含み、
前記第一伝送データ、前記第二伝送データ、前記第三伝送データ及び前記第四伝送データは、前記表示パネルに連続して表示された４つのフレーム画面データであることを特徴とする請求項８に記載の表示装置。
【請求項１０】
前記基準クロック信号の周波数を「ｆ」と定義した場合、前記第一クロック信号及び前記第二クロック信号の周波数は、それぞれｆ*９０％より大きいか又はそれに等しいが、ｆ*１１０％より小さいか又はそれに等しい範囲内にあることを特徴とする請求項１に記載の表示装置。
【請求項１１】
タイムスケジュール制御回路、データ駆動回路及び表示パネルを備える表示装置であって、
前記タイムスケジュール制御回路は、データ処理回路、エンコーダ及び組み込み式クロックコントローラを含み、
前記データ処理回路は、前記エンコーダ及び前記組込み式クロックコントローラにそれぞれ電気的に接続され、
前記組み込み式クロックコントローラは、前記エンコーダに電気的に接続され、前記エンコーダは、前記データ駆動回路にさらに電気的に接続され、
前記データ駆動回路は、前記表示パネルに電気的に接続されており、
前記データ処理回路は、外部回路からの画像データを処理してデータ信号を出力し、前記組み込み式クロックコントローラは、基準クロック信号に基づいて周波数が異なっている第一クロック信号及び第二クロック信号を生成し、
前記エンコーダは、第一クロック信号及び第一クロックトレーニングデータを受信して、前記第一クロック信号を前記第一クロックトレーニングデータの中に組み込み、且つ前記データ駆動回路に第一初期トレーニングデータを出力し、前記データ駆動回路は、前記第一初期トレーニングデータに基づいて自身の動作周波数を前記第一クロック信号に対応する周波数と調節し、これにより、
前記データ駆動回路は、前記第一クロック信号に対応する周波数によって前記タイムスケジュール制御回路からデータ信号を受信し、
前記エンコーダは、さらに第二クロック信号及び第二クロックトレーニングデータを受信して、前記第二クロック信号を前記第二クロックトレーニングデータの中に組み込み、且つ前記データ駆動回路に第二初期トレーニングデータを出力し、
前記データ駆動回路は、前記第二初期トレーニングデータに基づいて自身の動作周波数を前記第二クロック信号に対応する周波数と調節し、これにより、
前記データ駆動回路は、前記第二クロック信号に対応する周波数によって前記タイムスケジュール制御回路からデータ信号を受信することを特徴とする表示装置。
【請求項１２】
画像データを受信し且つ当該画像データによって第一データ信号及び第二データ信号を生成するステップと、
基準クロック信号を受信し且つ当該基準クロック信号によって周波数が異なる第一クロック信号及び第二クロック信号を生成するステップと、
前記第一クロック信号を前記第一データ信号の中に組み込むことで、第一初期トレーニングデータ及び第一伝送データを含む第一組み込み式クロックデータを生成するステップと、
前記第一初期トレーニングデータを受信して第一クロックトレーニングを完成することによって、前記第一クロック信号の周波数によって前記第一伝送データを受信するステップと、
第一伝送データに基づいて画面を表示するステップと、
前記第二クロック信号を前記第二データ信号の中に組み込むことで、第二初期トレーニングデータ及び第二伝送データを含む第二組み込み式クロックデータを生成するステップと、
前記第二初期トレーニングデータを受信して第二クロックトレーニングを完成することによって、前記第二クロック信号の周波数によって前記第二伝送データを受信するステップと、
第二伝送データに基づいて画面を表示するステップと、
を備えることを特徴とする表示装置の駆動方法。
【請求項１３】
第一クロック信号が組み込まれた第一初期トレーニングデータ及び第一伝送データを提供するステップと、
前記第一初期トレーニングデータを解読して前記第一クロック信号を取得した後に、前記第一クロック信号の周波数によって前記第一伝送データを受信するステップと、
第一伝送データに基づいて画面を表示するステップと、
前記第一クロック信号の周波数と異なる周波数を有する第二クロック信号が組み込まれた第二初期トレーニングデータ及び第二伝送データを提供するステップと、
前記第二初期トレーニングデータを解読して前記第二クロック信号を取得した後に、前記第二クロック信号の周波数によって前記第二伝送データを受信するステップと、
第二伝送データに基づいて画面を表示するステップと、
を備えることを特徴とする表示装置の駆動方法。
【請求項１４】
第一初期トレーニングデータ及び第一伝送データを提供するステップと、
前記第一初期トレーニングデータを受信して第一クロックトレーニングを完成することによって、第一クロック信号の周波数によって前記第一伝送データを受信するステップと、
第一伝送データに基づいて画面を表示するステップと、
第二初期トレーニングデータ及び第二伝送データを提供するステップと、
前記第二初期トレーニングデータを受信して第二クロックトレーニングを完成することによって、前記第一クロック信号の周波数と異なる第二クロック信号の周波数によって前記第二伝送データを受信するステップと、
第二伝送データに基づいて画面を表示するステップと、
を備えることを特徴とする表示装置の駆動方法。
【請求項１５】
表示装置に用いられるタイムスケジュール制御回路のデータの処理及び出力方法であって、
第一クロック信号が組み込まれた第一初期トレーニングデータを出力するステップと、
前記第一クロック信号の周波数によって第一伝送データを出力するステップと、
第二クロック信号が組み込まれた第二初期トレーニングデータを出力するステップと、
前記第二クロック信号の周波数によって第二伝送データを出力するステップと、
を備えることを特徴とするタイムスケジュール制御回路のデータの処理及び出力方法。
【発明の詳細な説明】
【技術分野】
【０００１】
本発明は、表示装置及びその駆動方法、並びにタイムスケジュール制御回路のデータの処理及び出力方法に関するものである。
【背景技術】
【０００２】
従来の電子装置は、通常、表示パネルを駆動するための複数の機能回路を備える。例えば、タイムスケジュール制御回路（ｔｉｍｅ  ｓｃｈｅｄｕｌｅ  ｃｏｎｔｒｏｌｌｅｒ）、データ駆動回路及び走査駆動回路等が挙げられる。これらの機能回路は、一般的にＩＣチップの形態で電子装置の中に存在する。表示パネルを駆動する際、これらの機能回路は互いにデータを伝送する必要がある。しかし、各機能回路の動作周波数は高く、且つ固定されているため、データを伝送する過程において大きな電磁妨害が発生する。特に、組み込み式クロックエンベデッドポイントツーポイント（ｃｌｏｃｋ  ｅｍｂｅｄｄｅｄ  ｐｏｉｎｔ  ｔｏ  ｐｏｉｎｔ）伝送の回路構造においては、その動作周波数はより高いので、電磁妨害の問題はさらに深刻である。
【発明の概要】
【発明が解決しようとする課題】
【０００３】
前記課題を解決するために、本発明は、電磁妨害を改善することができる表示装置及び当該表示装置の駆動方法を提供する。
【０００４】
前記課題を解決するために、本発明は、電磁妨害を改善することができるタイムスケジュール制御回路のデータの処理及び出力方法を提供する。
【課題を解決するための手段】
【０００５】
本発明に係る表示装置は、タイムスケジュール制御回路、データ駆動回路及び表示パネルを備える。前記タイムスケジュール制御回路は、データ処理回路、エンコーダ及び組み込み式クロックコントローラを含み、前記データ処理回路は、前記エンコーダ及び前記組み込み式クロックコントローラにそれぞれ電気的に接続され、前記組み込み式クロックコントローラは、前記エンコーダに電気的に接続され、前記エンコーダは、前記データ駆動回路にさらに電気的に接続され、前記データ駆動回路は、前記表示パネルに電気的に接続されており、前記データ処理回路は、外部回路が提供した画像データを処理して、前記エンコーダに第一データ信号及び第二データ信号を出力し、前記組み込み式クロックコントローラは、基準クロック信号に基づいて周波数が異なっている第一クロック信号及び第二クロック信号を生成し、先ず、前記エンコーダは、前記第一クロック信号を前記第一データ信号の中に組み込み、且つ前記データ駆動回路に第一組み込み式クロックデータを出力し、前記第一組み込み式クロックデータは、第一初期トレーニングデータ及び第一伝送データを含み、前記データ駆動回路は、前記第一初期トレーニングデータに基づいて第一クロックトレーニングを完成した後、前記第一クロック信号の周波数によって動作し且つ前記第一伝送データを受信し、次に、前記エンコーダは、前記第二クロック信号を前記第二データ信号の中に組み込み、且つ前記データ駆動回路に第二組み込み式クロックデータを出力し、前記第二組み込み式クロックデータは、第二初期トレーニングデータ及び第二伝送データを含み、前記データ駆動回路は、前記第二初期トレーニングデータに基づいて第二クロックトレーニングを完成した後に、前記第二クロック信号の周波数によって動作し且つ前記第二伝送データを受信する。
【０００６】
本発明に係る表示装置は、タイムスケジュール制御回路、データ駆動回路及び表示パネルを備える。前記タイムスケジュール制御回路は、データ処理回路、エンコーダ及び組み込み式クロックコントローラを含み、前記データ処理回路は、前記エンコーダ及び前記組込み式クロックコントローラにそれぞれ電気的に接続され、前記組み込み式クロックコントローラは、前記エンコーダに電気的に接続され、前記エンコーダは、前記データ駆動回路にさらに電気的に接続され、前記データ駆動回路は、前記表示パネルに電気的に接続されており、前記データ処理回路は、外部回路からの画像データを処理してデータ信号を出力し、前記組み込み式クロックコントローラは、基準クロック信号に基づいて周波数が異なっている第一クロック信号及び第二クロック信号を生成し、前記エンコーダは、第一クロック信号及び第一クロックトレーニングデータを受信して、前記第一クロック信号を前記第一クロックトレーニングデータの中に組み込み、且つ前記データ駆動回路に第一初期トレーニングデータを出力し、前記データ駆動回路は、前記第一初期トレーニングデータに基づいて自身の動作周波数を前記第一クロック信号に対応する周波数と調節し、これにより、前記データ駆動回路は、前記第一クロック信号に対応する周波数によって前記タイムスケジュール制御回路からデータ信号を受信し、前記エンコーダは、さらに第二クロック信号及び第二クロックトレーニングデータを受信して、前記第二クロック信号を前記第二クロックトレーニングデータの中に組み込み、且つ前記データ駆動回路に第二初期トレーニングデータを出力し、前記データ駆動回路は、前記第二初期トレーニングデータに基づいて自身の動作周波数を前記第二クロック信号に対応する周波数と調節し、これにより、前記データ駆動回路は、前記第二クロック信号に対応する周波数によって前記タイムスケジュール制御回路からデータ信号を受信する。
【０００７】
本発明に係る表示装置の駆動方法は、画像データを受信し且つ当該画像データによって第一データ信号及び第二データ信号を生成するステップと、基準クロック信号を受信し且つ当該基準クロック信号によって周波数が異なる第一クロック信号及び第二クロック信号を生成するステップと、前記第一クロック信号を前記第一データ信号の中に組み込むことで、第一初期トレーニングデータ及び第一伝送データを含む第一組み込み式クロックデータを生成するステップと、前記第一初期トレーニングデータを受信して第一クロックトレーニングを完成することによって、前記第一クロック信号の周波数によって前記第一伝送データを受信するステップと、第一伝送データに基づいて画面を表示するステップと、前記第二クロック信号を前記第二データ信号の中に組み込むことで、第二初期トレーニングデータ及び第二伝送データを含む第二組み込み式クロックデータを生成するステップと、前記第二初期トレーニングデータを受信して第二クロックトレーニングを完成することによって、前記第二クロック信号の周波数によって前記第二伝送データを受信するステップと、第二伝送データに基づいて画面を表示するステップと、を備える。
【０００８】
本発明に係る表示装置の駆動方法は、第一クロック信号が組み込まれた第一初期トレーニングデータ及び第一伝送データを提供するステップと、前記第一初期トレーニングデータを解読して前記第一クロック信号を取得した後に、前記第一クロック信号の周波数によって前記第一伝送データを受信するステップと、第一伝送データに基づいて画面を表示するステップと、前記第一クロック信号の周波数と異なる周波数を有する第二クロック信号が組み込まれた第二初期トレーニングデータ及び第二伝送データを提供するステップと、前記第二初期トレーニングデータを解読して前記第二クロック信号を取得した後に、前記第二クロック信号の周波数によって前記第二伝送データを受信するステップと、第二伝送データに基づいて画面を表示するステップと、を備える。
【０００９】
本発明に係る表示装置の駆動方法は、第一初期トレーニングデータ及び第一伝送データを提供するステップと、前記第一初期トレーニングデータを受信して第一クロックトレーニングを完成することによって、第一クロック信号の周波数によって前記第一伝送データを受信するステップと、第一伝送データに基づいて画面を表示するステップと、第二初期トレーニングデータ及び第二伝送データを提供するステップと、前記第二初期トレーニングデータを受信して第二クロックトレーニングを完成することによって、前記第一クロック信号の周波数と異なる第二クロック信号の周波数によって前記第二伝送データを受信するステップと、第二伝送データに基づいて画面を表示するステップと、を備える。
【００１０】
本発明に係るタイムスケジュール制御回路のデータの処理及び出力方法は、表示装置に用いられ、第一クロック信号が組み込まれた第一初期トレーニングデータを出力するステップと、前記第一クロック信号の周波数によって第一伝送データを出力するステップと、第二クロック信号が組み込まれた第二初期トレーニングデータを出力するステップと、前記第二クロック信号の周波数によって第二伝送データを出力するステップと、を備える。
【発明の効果】
【００１１】
従来の技術と比べて、本発明に係る表示装置の駆動方法おいて、第一初期トレーニングデータを提供することによって第一クロックトレーニングを完成して、第一クロック信号の周波数によって動作し、且つ前記第一伝送データを受信する。また、第二初期トレーニングデータを提供することによって第二クロックトレーニングを完成して、第二クロック信号の周波数によって動作し、且つ前記第二伝送データを受信する。これにより、第一伝送データ及び第二伝送データは異なる周波数によって伝送されることが可能になり、固定周波数の伝送方式に起因する電磁妨害現象は明らかに改善される。
【図面の簡単な説明】
【００１２】
【図１】本発明の実施形態に係る表示装置の制御回路の構造を示す図である。
【図２】本発明の実施形態に係る表示装置の駆動方法の一部のフローチャートである。
【図３】本発明の実施形態に係る表示装置の駆動方法の他の一部のフローチャートである
【発明を実施するための形態】
【００１３】
以下、図面を参照して、本発明の実施形態について説明する。
【００１４】
図１に示すように、本発明の実施形態に係る表示装置１０は、液晶表示装置或いは有機エレクトロルミネセンス表示装置などであることができ、且つタイムスケジュール制御回路１１と、データ駆動回路１２と、表示パネル１３と、を備える。タイムスケジュール制御回路１１は、データ処理回路１１０、エンコーダ１１４及び組み込み式クロックコントローラ１１２を備える。データ処理回路１１０は、エンコーダ１１４及び組み込み式クロックコントローラ１１２に電気的に接続される。組み込み式クロックコントローラ１１２は、エンコーダ１１４に電気的に接続され、エンコーダ１１４は、データ駆動回路１２に電気的に接続される。データ駆動回路１２は、表示パネル１３に電気的に接続される。且つ組み込み式クロックコントローラ１１２にも電気的に接続される。タイムスケジュール制御回路１１とデータ駆動回路１２との間の信号伝送インタフェースは、組み込み式クロックエンベデッドポイントツーポイント（ｃｌｏｃｋ  ｅｍｂｅｄｄｅｄ  ｐｏｉｎｔ  ｔｏ  ｐｏｉｎｔ）であっても良い。タイムスケジュール制御回路１１及びデータ駆動回路１２は、それぞれＩＣチップであることができる。表示パネル１３は、液晶表示パネルであることができる。
【００１５】
データ処理回路１１０は、外部回路（例えば、ズームコントローラ，Ｓｃａｌｅ  Ｃｏｎｔｒｏｌｌｅｒ）からの画像データを受信して処理する。具体的には、データ処理回路１１０は、前記画像データに対して解読して基準クロック信号、第一データ信号及び第二データ信号を得る。その上で、データ処理回路１１０は、前記基準クロック信号を組み込み式クロックコントローラ１１２に出力し、第一データ信号及び第二データ信号をエンコーダ１１４に出力する。前記第一データ信号及び第二データ信号は、順次にエンコーダ１１４に出力される。
【００１６】
組み込み式クロックコントローラ１１２は、前記基準クロック信号を受信し、且つ当該基準クロック信号に基づいて第一クロック信号及び第二クロック信号を生成する。前記第一クロック信号及び前記第二クロック信号の周波数は、互いに異なっている。前記基準クロック信号の周波数を「ｆ」と定義した場合、前記第一クロック信号及び前記第二クロック信号の周波数は、それぞれｆ*９０％より大きいか又はそれに等しいが、ｆ*１１０％より小さいか又はそれに等しい範囲以内にある。また、組み込み式クロックコントローラ１１２は、第一クロックトレーニング（Ｃｌｏｃｋ  Ｔｒａｉｎｉｎｇ）制御信号及び第二クロックトレーニング制御信号をさらに生成する。前記第一クロック信号、第二クロック信号、第一クロックトレーニング制御信号及び第二クロックトレーニング制御信号は、エンコーダ１１４に提供される。具体的には、第一クロック信号及び第一クロックトレーニング制御信号は、第二クロック信号及び第二クロックトレーニング制御信号より先にエンコーダ１１４に提供される。
【００１７】
エンコーダ１１４は、先ず前記第一クロック信号を第一データ信号の中に組み込むことによって第一組み込み式クロックデータを得、且つ当該第一組み込み式クロックデータをデータ駆動回路１２に提供する。前記第一組込み式クロックデータは、第一初期トレーニングデータ及び第一伝送データを含む。前記第一データ信号は、第一クロックトレーニングデータ及び第一表示データを含む。
【００１８】
具体的には、エンコーダ１１４は、前記第一クロックトレーニング制御信号により制御されて、前記第一クロック信号を前記第一クロックトレーニングデータの中に組み込んで、前記第一初期トレーニングデータを得た後に、当該第一初期トレーニングデータをデータ駆動回路１２に出力する。データ駆動回路１２は、前記第一初期トレーニングデータを受信した後に、それを解読（復号化）することで、前記第一クロック信号及び前記第一クロックトレーニングデータを回復させる。データ駆動回路１２１は、クロックデータリカバリ（Ｃｌｏｃｋ  Ｄａｔａ  Ｒｅｃｏｖｅｒｙ，ＣＤＲ）回路を介して上記の解読動作及び回復動作を完成する。
【００１９】
さらに、データ駆動回路１２は、クロックトレーニングの方式によって自身の動作周波数を前記第一クロック信号の周波数に調節し、且つ前記第一クロックトレーニングデータをデータ駆動回路１２の記憶部に一時的に記憶する。また、データ駆動回路１２１は、自身の動作周波数を前記第一クロック信号の周波数に調節した後（即ち、第一クロックトレーニングを完成した後）に、組み込み式クロックコントローラ１１２に第一フィードバック信号を出力する。組み込み式クロックコントローラ１１２は、前記第一フィードバック信号に基づいて、エンコーダ１１４に前記第一クロックトレーニング制御信号を出力することを停止するが、エンコーダ１１４に前記第一クロック信号を引き続き出力する。エンコーダ１１４は、前記第一クロック信号を前記第一表示データの中に組み込むことで、前記第一伝送データを生成し、且つ該第一伝送データをデータ駆動回路１２に伝送する。従って、データ駆動回路１２は、前記第一クロック信号の周波数によって前記第一伝送データを受信する。
【００２０】
データ駆動回路１２は、前記第一伝送データを受信した後、前記第一伝送データを解読して、前記第一クロック信号及び前記第一表示データを回復させる。この際、回復された第一クロック信号は、前記第一表示データの伝送タイミングが正確であるかどうかを検出することに用いられる。例えば、該第一クロック信号を利用して、前記第一表示データの周波数、位相にずれがあるかどうかを検出する。ずれがある場合、前記第一表示データの周波数及び位相を較正し、前記第一表示データはデータ駆動回路１２によりその記憶部に一時的に記憶される。
【００２１】
具体的には、データ駆動回路１２は、取得した第一クロックトレーニングデータ及び第一表示データを階調電圧に変換し、且つ所定のタイミングに従って前記階調電圧を表示パネル１３に印加する。その中で、表示パネル１３は、各フレーム画面を表示する正常表示時間帯及び隣接する２つのフレーム画面の間（各フレーム画面前後）の空いている時間帯を含む。前記第一クロックトレーニングデータは、前記空いている時間帯に対応しているデータであり、前記第一伝送データの中の第一表示データは、前記正常表示時間帯に対応しているデータである。好ましくは、第一伝送データは、少なくとも１つのフレーム画面に対応するデータを含む。即ち、該データ駆動回路１２は、第一伝送データの中の第一表示データを階調電圧に変換した後、表示パネル１３に印加する。これにより、表示パネル１３は、少なくとも１つのフレーム画面を表示することができる。
【００２２】
エンコーダ１１４が第一伝送データをデータ駆動回路１２に伝送した後、エンコーダ１１４は、前記第二クロック信号を前記第二データ信号の中に組み込むことで第二組み込み式クロックデータを得、且つ当該第二組み込み式クロックデータをデータ駆動回路１２に提供する。前記第二組み込み式クロックデータは、第二初期トレーニングデータ及び第二伝送データを含む。前記第二データ信号は、第二クロックトレーニングデータ及び第二表示データを含む。
【００２３】
具体的には、エンコーダ１１４は、前記第二クロックトレーニング制御信号により制御されて、前記第二クロック信号を前記第二クロックトレーニングデータの中に組み込んで、前記第二初期トレーニングデータを得た後、当該第二初期トレーニングデータをデータ駆動回路１２に出力する。データ駆動回路１２は、前記第二初期トレーニングデータを受信した後に、それを解読（復号化）することで、前記第二クロック信号及び前記第二クロックトレーニングデータを回復させる。データ駆動回路１２は、クロック信号再生回路を介して上記の解読動作及び回復動作を完成する。
【００２４】
さらに、データ駆動回路１２は、クロックトレーニングの方式によって自身の動作周波数を前記第二クロック信号の周波数に調節することができ、且つ前記第二クロックトレーニングデータをデータ駆動回路１２の記憶部に一時的に記憶する。また、データ駆動回路１２は、自身の動作周波数を前記第二クロック信号の周波数に調節した後（即ち、第二クロックトレーニングを完成した後）に、組み込み式クロックコントローラ１１２に第二フィードバック信号を出力する。組み込み式クロックコントローラ１１２は、前記第二フィードバック信号に基づいて、エンコーダ１１４に前記第二クロックトレーニング制御信号を出力することを停止するが、エンコーダ１１４に前記第二クロック信号を引き続き出力する。エンコーダ１１４は、前記第二クロック信号を前記第二表示データの中に組み込むことで、前記第二伝送データを生成し、且つ該第二伝送データをデータ駆動回路１２に伝送する。従って、データ駆動回路１２は、前記第二クロック信号の周波数によって前記第二伝送データを受信する。
【００２５】
データ駆動回路１２は、前記第二伝送データを受信した後、前記第二伝送データを解読して、前記第二クロック信号及び前記第二表示データを回復させる。この際、回復された第二クロック信号は、前記第二表示データの伝送タイミングが正確であるかどうかを検出することに用いられる。例えば、回復された第二クロック信号を利用して、前記第二表示データの周波数、位相にずれがあるかどうかを検出する。ずれがある場合、前記第二表示データの周波数及び位相を較正し、前記第二表示データはデータ駆動回路１２によりその記憶部に一時的に記憶される。
【００２６】
具体的には、データ駆動回路１２は、取得した第二クロックトレーニングデータ及び第二表示データを階調電圧に変換し、且つ所定のタイミングに従って前記階調電圧を表示パネル１３に印加する。その中で、前記第二伝送データの中の第二表示データは、前記正常表示時間帯に対応しているデータである。好ましくは、第二伝送データは、少なくとも１つのフレーム画面に対応するデータを含む。即ち、該データ駆動回路１２は、第二伝送データの中の第二表示データを階調電圧に変換した後、表示パネル１３に印加する。これにより、表示パネル１３は、少なくとも１つのフレーム画面を表示することができる。
【００２７】
本実施形態において、第一表示データ及び第二表示データは、それぞれ１つのフレーム画面のデータであり、且つ第一表示データ及び第二表示データは、隣接する２つのフレーム画面のデータである。即ち、データ駆動回路１２は、順次に第一初期トレーニングデータ、第一伝送データ、第二初期トレーニングデータ及び第二伝送データを受信し、且つ順次に第一クロックトレーニングデータ、第一表示データ、第二クロックトレーニングデータ及び第二表示データに対応する階調電圧を表示パネル１３に出力する。前記表示パネル１３は、順次に空いている時間帯、第Ｎフレーム画面、空いている時間帯、第Ｎ＋１フレーム画面を表示する。その中で、Ｎは自然数である。
【００２８】
具体的には、前記組み込み式クロックコントローラ１１２は、第一クロック信号及び第二クロック信号を交互に出力し、且つ第一クロックトレーニング制御信号及び第二クロックトレーニング制御信号を間隔をあけて出力する。エンコーダ１１４は、第一組み込み式クロックデータ及び第二組み込み式クロックデータを交互に出力する。これにより、データ駆動回路１２は、第一クロックトレーニング及び第二クロックトレーニングを交互に完成することができる。従って、データ駆動回路１２とタイムスケジュール制御回路１１とは、交互に第一クロック信号の周波数或いは第二クロック信号の周波数によって組み込み式クロックの表示データを伝送する。他の実施形態において、データ駆動回路１２とタイムスケジュール制御回路１１とは、前記の任意の２つの異なるクロック信号の周波数によって組み込み式クロックの表示データを伝送することもできる。
【００２９】
従来の技術と比べ、本発明の表示装置１０において、前記データ駆動回路は、第一初期トレーニングデータを提供することによって第一クロックトレーニングを完成して、第一クロック信号の周波数によって動作し、且つ前記第一伝送データを受信する。また、前記データ駆動回路は、第二初期トレーニングデータを提供することによって第二クロックトレーニングを完成して、第二クロック信号の周波数によって動作し、且つ前記第二伝送データを受信する。これにより、第一伝送データ及び第二伝送データは異なる周波数によって伝送されることが可能になり、固定周波数の伝送方式に起因する電磁妨害現象は明らかに改善される。
【００３０】
さらに、他の実施形態において、データ処理回路１１０は、外部回路からの画像データを受信して処理し、且つ順次に第三データ信号及び第四データ信号をエンコーダに出力することもできる。組み込み式クロックコントローラ１１２は、前記基準クロック信号に基づいて第三クロック信号及び第四クロック信号を生成することもできる。第一、第二、第三及び第四クロック信号の周波数は、互いに異なっている。エンコーダ１１４は、前記第三クロック信号を第三データ信号の中に組み込み且つデータ駆動回路１２に第三組み込み式クロックデータを出力することもできる。前記第三組み込み式クロックデータは、第三初期トレーニングデータ及び第三伝送データを含む。前記データ駆動回路１２は、第三初期トレーニングデータに基づいて第三クロックトレーニングを完成した後、第三クロック信号の周波数によって第三伝送データを受信する。次に、エンコーダ１１４は、前記第四クロック信号を前記第四データ信号の中に組み込み且つデータ駆動回路１２に第四組み込み式クロックデータを出力する。前記第四組み込み式クロックデータは、第四初期トレーニングデータ及び第四伝送データを含む。前記データ駆動回路１２は、第四初期トレーニングデータに基づいて第四クロックトレーニングを完成した後、第四クロック信号の周波数によって第四伝送データを受信する。前記第三クロック信号及び前記第四クロック信号の周波数は、それぞれｆ*９０％より大きいか又はそれに等しいが、ｆ*１１０％より小さいか又はそれに等しい範囲以内にある。
【００３１】
タイムスケジュール制御回路１１において、前記第三初期トレーニングデータ、第四初期トレーニングデータ、第三伝送データ及び第四伝送データの生成及び伝送方式と、第一初期トレーニングデータ、第二初期トレーニングデータ、第一伝送データ及び第二伝送データの生成及び伝送方式とは、ほぼ同じである。さらに、データ駆動回路１２において、第三初期トレーニングデータ、第四初期トレーニングデータ、第三伝送データ及び第四伝送データを処理する方式と、第一初期トレーニングデータ、第二初期トレーニングデータ、第一伝送データ及び第二伝送データを処理する方式とも、ほぼ同じである。
【００３２】
以上からわかるように、第三クロックトレーニングデータ及び第四クロックトレーニングデータは、それぞれ空いている時間帯に対応しているデータを含む。第三伝送データ及び第四伝送データは、それぞれ正常表示時間帯に対応しているデータを含む。さらに、データ駆動回路１２は、順次に第三クロックトレーニングデータ、第三伝送データ、第四クロックトレーニングデータ及び第四伝送データを受信し、且つ対応する階調電圧を表示パネル１３に出力する。本実施形態において、第一、第二、第三及び第四伝送データは、表示パネル１３に連続して表示された４つのフレーム画面データである。表示パネル１３は、データ駆動回路１２の駆動によって順次に空いている時間帯、第Ｎ番目のフレーム画面、空いている時間帯、第Ｎ＋１番目のフレーム画面、空いている時間帯、第Ｎ＋２番目のフレーム画面、空いている時間帯、第Ｎ＋３番目のフレーム画面を表示する。その中で、Ｎは自然数である。
【００３３】
本実施形態において、前記組み込み式クロックコントローラ１１２は、第一クロック信号、第二クロック信号、第三クロック信号及び第四クロック信号を繰り返し出力し、且つ第一、第二、第三及び第四クロックトレーニング制御信号を間隔をあけて出力することができる。エンコーダ１１４は、第一、第二、第三及び第四組み込み式クロックデータを繰り返し出力することもできる。これにより、データ駆動回路１２は、第一、第二、第三及び第四クロックトレーニングを繰り返し完成することができる。従って、前記データ駆動回路１２と前記タイムスケジュール制御回路１１とは、繰り返し順次に第一、第二、第三及び第四クロック信号の周波数によって組み込み式クロックの表示データを伝送する。
【００３４】
従来の技術と比べ、タイムスケジュール制御回路１１とデータ駆動回路１２との間には、４つの周波数によって伝送データを伝送することができるため、固定周波数の伝送方式に起因する電磁妨害現象を防止することができる。
【００３５】
上記の各実施形態において、周知のように、データ処理回路１１０は、前記画像データを処理する際に、解読を介して水平同期信号及び垂直同期信号などのタイムスケジュール制御信号を取得することができる。また、表示装置１０は、タイムスケジュール制御回路と表示パネルとの間に電気的に接続された走査駆動回路をさらに備える。前記走査駆動回路は、前記タイムスケジュール制御信号（例えば垂直同期信号）を受信し、且つ表示パネルに走査電圧を出力する。データ駆動回路１２は、さらにエンコーダ１１４を介して前記タイムスケジュール制御信号（例えば水平同期信号）を受信して、データ駆動回路１２が表示パネル１３に印加した駆動電圧のタイミングを制御する。
【００３６】
図２に示すように、本発明の第一実施形態に係る表示装置の駆動方法は、以下のステップＳ１〜Ｓ１６を備える。
【００３７】
ステップＳ１において、画像データを受信し且つ当該画像データに基づいて第一データ信号及び第二データ信号を生成する。本ステップＳ１は、タイムスケジュール制御回路により完成される。
【００３８】
ステップＳ２において、基準クロック信号を受信し且つ当該基準クロック信号に基づいて周波数が異なっている第一クロック信号及び第二クロック信号を生成する。本ステップＳ２も、タイムスケジュール制御回路により完成されることができ、且つ前記基準クロック信号は、前記画像データを解読することによって取得することができる。
【００３９】
ステップＳ３において、前記第一クロック信号を前記第一データ信号の中に組み込むことで、第一組み込み式クロックデータを生成する。前記第一組み込み式クロックデータは、第一初期トレーニングデータ及び第一伝送データを含む。本ステップＳ１３も、タイムスケジュール制御回路により完成される。
【００４０】
ステップＳ４において、前記第一初期トレーニングデータを受信して第一クロックトレーニングを完成することにより、第一クロック信号の周波数によって前記第一伝送データを受信する。本ステップＳ０４は、データ駆動回路により完成される。
【００４１】
ステップＳ５において、第一伝送データに基づいて画面を表示する。本ステップＳ５において、前記データ駆動回路は、前記表示パネルを駆動して画面を表示させる。
【００４２】
ステップＳ６において、前記第二クロック信号を前記第二データ信号の中に組み込むことで、第二組み込み式クロックデータを生成する。前記第二組み込み式クロックデータは、第二初期トレーニングデータ及び第二伝送データを含む。本ステップＳ６も、タイムスケジュール制御回路により完成される。
【００４３】
ステップＳ７において、前記第二初期トレーニングデータを受信して第二クロックトレーニングを完成することにより、第二クロック信号の周波数によって前記第二伝送データを受信する。本ステップＳ７も、データ駆動回路により完成される。
【００４４】
ステップＳ８において、第二伝送データに基づいて画面を表示する。本ステップＳ８において、前記データ駆動回路は、前記表示パネルを駆動して画面を表示させる。
【００４５】
具体的には、前記第一データ信号は、第一クロックトレーニングデータ及び第一表示データを含む。ステップＳ３は、第一クロックトレーニング制御信号を提供して、前記第一クロックトレーニング制御信号の制御下で、前記第一クロック信号を前記第一クロックトレーニングデータの中に組み込んで、前記第一初期トレーニングデータを生成し、及び第二クロックトレーニング制御信号を提供して、前記第二クロックトレーニング制御信号の制御下で、前記第二クロック信号を前記第二クロックトレーニングデータの中に組み込んで、前記第二初期トレーニングデータを生成することをさらに備える。
【００４６】
ステップＳ４は、前記第一クロックトレーニングを完成した後に、第一フィードバック信号を提供し、且つ前記第一フィードバック信号によって、前記第一伝送データを出力し、及び前記第二クロックトレーニングを完成した後に、第二フィードバック信号を提供し、且つ前記第二フィードバック信号によって、前記第二伝送データを出力することをさらに備える。
【００４７】
また、前記表示画面は、各フレーム画面を表示する正常表示時間帯及び隣接する２つのフレーム画面の間の空いている時間帯を含む。前記第一クロックトレーニングデータ及び前記第二クロックトレーニングデータは、前記空いている時間帯に対応するデータである。前記第一伝送データ及び前記第二伝送データは、前記正常表示時間帯に対応するデータである。その中で、前記第一伝送データ及び前記第二伝送データは、それぞれ少なくとも１つのフレーム画面に対応するデータを備える。本実施形態において、前記第一表示データ及び前記第二表示データは、それぞれ１つのフレーム画面データであり、且つ前記第一表示データ及び前記第二表示データは、隣接する２つのフレーム画面データである。
【００４８】
また、前記基準クロック信号の周波数を「ｆ」と定義すると、前記第一クロック信号及び前記第二クロック信号の周波数は、それぞれｆ*９０％より大きいか又はそれに等しいが、ｆ*１１０％より小さいか又はそれに等しい範囲以内にある。
【００４９】
本発明の表示装置の駆動方法において、第一初期トレーニングデータを提供することによって第一クロックトレーニングを完成して、第一クロック信号の周波数によって動作し、且つ前記第一伝送データを受信し、及び第二初期トレーニングデータを提供することによって第二クロックトレーニングを完成して、第二クロック信号の周波数によって動作し、且つ前記第二伝送データを受信する。これにより、第一伝送データ及び第二伝送データは異なる周波数によって伝送されることが可能になり、固定周波数の伝送方式に起因する電磁妨害現象は明らかに改善される。
【００５０】
さらに、図３を参照すると、図２に示した表示装置の駆動方法は、以下のステップＳ９〜Ｓ１６をさらに備える。
【００５１】
ステップＳ９において、画像データを受信し且つ当該画像データに基づいて第三データ信号及び第四データ信号を生成する。本ステップＳ９は、タイムスケジュール制御回路により完成される。
【００５２】
ステップＳ１０において、基準クロック信号を受信し且つ当該基準クロック信号に基づいて周波数が互いに異なっている第三クロック信号及び第四クロック信号を生成する。本ステップＳ９も、タイムスケジュール制御回路により完成される。
【００５３】
ステップＳ１１において、前記第三クロック信号を前記第三データ信号の中に組み込むことで、第三組み込み式クロックデータを生成する。前記第三組み込み式クロックデータは、第三初期トレーニングデータ及び第三伝送データを含む。本ステップＳ１１も、タイムスケジュール制御回路により完成される。
【００５４】
ステップＳ１２において、前記第三初期トレーニングデータを受信して第三クロックトレーニングを完成することによって、第三クロック信号の周波数によって前記第三伝送データを受信する。本ステップＳ１２はデータ駆動回路により完成される。
【００５５】
ステップＳ１３において、第三伝送データに基づいて画面を表示する。本ステップＳ１３において、前記データ駆動回路は、前記表示パネルを駆動して画面を表示させる。
【００５６】
ステップＳ１４において、前記第四クロック信号を前記第四データ信号の中に組み込むことで、第四組み込み式クロックデータを生成する。前記第四組み込み式クロックデータは、第四初期トレーニングデータ及び第四伝送データを含む。本ステップＳ１４も、タイムスケジュール制御回路により完成される。
【００５７】
ステップＳ１５において、前記第四初期トレーニングデータを受信して第四クロックトレーニングを完成することによって、第四クロック信号の周波数によって前記第四伝送データを受信する。本ステップＳ１５はデータ駆動回路により完成される。
【００５８】
ステップＳ１６において、第四伝送データに基づいて画面を表示する。本ステップＳ１６において、前記データ駆動回路は、前記表示パネルを駆動して画面を表示させる。
【００５９】
また、前記第三クロックトレーニングデータ及び前記第四クロックトレーニングデータは、前記空いている時間帯に対応するデータである。前記第三伝送データ及び前記第四伝送データは、前記正常表示時間帯に対応するデータである。第一、第二、第三及び第四表示データは表示パネル１３に連続して表示された４つのフレーム画面データである。
【００６０】
さらに、前記第三クロック信号及び前記第四クロック信号の周波数は、それぞれｆ*９０％より大きいか又はそれに等しいが、ｆ*１１０％より小さいか又はそれに等しい範囲以内にある。
【００６１】
前記の表示装置の駆動方法において、伝送データは、順次に４つの周波数によって伝送することができるため、固定周波数の伝送方式に起因する電磁妨害現象を防止することができる。
【符号の説明】
【００６２】
１０  表示装置
１１  タイムスケジュール制御回路
１２  データ駆動回路
１３  表示パネル
１１０  データ処理回路
１１４  エンコーダ
１１２  組み込み式クロックコントローラ
【図１】
2014130354.tif 000003
【図２】
2014130354.tif 000004
【図３】
2014130354.tif 000005